(57)【特許請求の範囲】
【請求項１】
動作モードとして、通常モードと前記通常モードよりも消費電力の小さい省電力モードとを有する画像形成装置であって、
前記画像形成装置を前記通常モードから前記省電力モードに移行するための移行部と、
前記移行部が前記画像形成装置を前記通常モードから前記省電力モードに移行させる際に、前記画像形成装置における予め定められた部位の状態を監視するための状態監視部と、
所定の検出領域に位置する人体を検出する少なくとも１つの検出部と、
前記状態監視部による監視結果に基づいて、前記部位の近傍に設けられた前記少なくとも１つの検出部の検出感度を調整する調整部と、
着脱式記憶媒体を接続するための接続部と、
前記接続部に前記着脱式記憶媒体が接続されているか否かを検知する接続検知部とを備え、
前記画像形成装置は、ダイレクトプリント機能の設定が可能であり、
前記少なくとも１つの検出部のうちの第１検出部は、前記接続部の近傍に設けられ、前記接続部に近接する人体を検出可能な位置に配置され、
前記状態監視部は、前記接続検知部の状態、および前記ダイレクトプリント機能の設定の有無を監視し、
前記調整部は、前記着脱式記憶媒体が前記接続部に接続された状態であって、かつ前記ダイレクトプリント機能が設定されていない場合における、前記接続部の近傍に設けられた前記第１検出部の検出感度を、前記着脱式記憶媒体が前記接続部に接続されていない状態である場合における当該検出感度よりも低下させる、画像形成装置。
【請求項２】
原稿を自動搬送するための自動原稿搬送部と、
前記自動原稿搬送部で搬送された原稿が載置されているか否かを検知する搬送検知部とをさらに備え、
前記少なくとも１つの検出部のうちの第２検出部は、前記自動原稿搬送部の近傍に設けられ、前記自動原稿搬送部に近接する人体を検出可能な位置に配置され、
前記状態監視部は、前記搬送検知部の状態をさらに監視し、
前記調整部は、前記自動原稿搬送部で搬送された原稿が載置された状態である場合における、前記自動原稿搬送部の近傍に設けられた前記第２検出部の検出感度を、前記自動原稿搬送部で搬送された原稿が載置されていない状態である場合における当該検出感度よりも低下させる、請求項１に記載の画像形成装置。
【請求項３】
原稿を排紙するための排紙部と、
前記排紙部に原稿が載置されているか否かを検知する排紙検知部とをさらに備え、
前記少なくとも１つの検出部のうちの第３検出部は、前記排紙部の近傍に設けられ、前記排紙部に近接する人体を検出可能な位置に配置され、
前記状態監視部は、前記排紙検知部の状態をさらに監視し、
前記調整部は、前記排紙部に原稿が載置された状態である場合における、前記排紙部の近傍に設けられた前記第３検出部の検出感度を、前記排紙部に原稿が載置されていない状態である場合における当該検出感度よりも低下させる、請求項１または２に記載の画像形成装置。
【請求項４】
原稿を載置するための原稿台と、
前記原稿台に原稿が載置されているか否かを検知する原稿台検知部とをさらに備え、
前記少なくとも１つの検出部のうちの第４検出部は、前記原稿台の近傍に設けられ、前記原稿台に近接する人体を検出可能な位置に配置され、
前記状態監視部は、前記原稿台検知部の状態をさらに監視し、
前記調整部は、前記原稿台に原稿が載置された状態である場合における、前記原稿台の近傍に設けられた前記第４検出部の検出感度を、前記原稿台に原稿が載置されていない状態である場合における当該検出感度よりも低下させる、請求項１〜３のいずれか１項に記載の画像形成装置。
【請求項５】
転写紙を給紙するための給紙部と、
前記給紙部に転写紙があるか否かを検知する給紙部検知部とをさらに備え、
前記少なくとも１つの検出部のうちの第５検出部は、前記給紙部の近傍に設けられ、前記給紙部に近接する人体を検出可能な位置に配置され、
前記状態監視部は、前記給紙部検知部の状態をさらに監視し、
前記調整部は、前記給紙部に転写紙が載置されていない状態である場合における、前記給紙部の近傍に設けられた前記第５検出部の検出感度を、前記給紙部に転写紙が載置されている状態である場合における当該検出感度よりも低下させる、請求項１〜４のいずれか１項に記載の画像形成装置。
【請求項６】
原稿に対して画像を形成する画像形成部と、
前記画像形成部におけるジャムの発生を検知するジャム検知部とをさらに備え、
前記少なくとも１つの検出部のうちの第６検出部は、前記画像形成部の近傍に設けられ、前記画像形成部に近接する人体を検出可能な位置に配置され、
前記状態監視部は、前記ジャム検知部の状態をさらに監視し、
前記調整部は、前記画像形成部にジャムが発生している状態である場合における、前記画像形成部の近傍に設けられた前記第６検出部の検出感度を、前記画像形成部にジャムが発生していない状態である場合における当該検出感度よりも低下させる、請求項１〜５のいずれか１項に記載の画像形成装置。
【請求項７】
ユーザからの認証印刷情報を受信する通信部と、
認証印刷をする前記ユーザを認証するための認証部とをさらに備え、
前記少なくとも１つの検出部のうちの第７検出部は、前記認証部の近傍に設けられ、前記認証部に近接する人体を検出可能な位置に配置され、
前記状態監視部は、前記通信部の状態をさらに監視し、
前記調整部は、前記認証印刷情報を前記通信部が受信した状態である場合における、前記認証部の近傍に設けられた前記第７検出部の検出感度を、前記認証印刷情報を前記通信部が受信していない状態である場合における当該検出感度よりも上昇させる、請求項１〜６のいずれか１項に記載の画像形成装置。
【請求項８】
前記少なくとも１つの検出部は、前記少なくとも１つの検出部が有する検出電極と人体との間の静電容量の変化を読み取ることで人体を検出する、請求項１〜７のいずれか１項に記載の画像形成装置。
【請求項９】
動作モードとして、通常モードと前記通常モードよりも消費電力の小さい省電力モードとを有する画像形成装置の制御方法であって、
前記画像形成装置は、所定の検出領域に位置する人体を検出する検出手段と、着脱式記憶媒体を接続するための接続部と、前記接続部に前記着脱式記憶媒体が接続されているか否かを検知する接続検知手段と、を含み、
前記画像形成装置を前記通常モードから前記省電力モードに移行するステップと、
前記移行するステップが前記画像形成装置を前記通常モードから前記省電力モードに移行させる際に、前記画像形成装置における予め定められた部位の状態を監視するステップと、
前記監視するステップによる監視結果に基づいて、前記部位の近傍に設けられた前記検出手段の検出感度を調整するステップとを含み、
前記画像形成装置は、ダイレクトプリント機能の設定が可能であり、
前記検出手段は、前記接続部の近傍に設けられ、前記接続部に近接する人体を検出可能な位置に配置され、
前記監視するステップは、前記接続検知手段の状態、および前記ダイレクトプリント機能の設定の有無を監視することを含み、
前記調整するステップは、前記着脱式記憶媒体が前記接続部に接続された状態であって、かつ前記ダイレクトプリント機能が設定されていない場合における、前記接続部の近傍に設けられた前記検出手段の検出感度を、前記着脱式記憶媒体が前記接続部に接続されていない状態である場合における当該検出感度よりも低下させることを含む、画像形成装置の制御方法。
【請求項１０】
動作モードとして、通常モードと前記通常モードよりも消費電力の小さい省電力モードとを有する画像形成装置のコンピューターに実行させる制御プログラムであって、
前記画像形成装置は、所定の検出領域に位置する人体を検出する検出手段と、着脱式記憶媒体を接続するための接続部と、前記接続部に前記着脱式記憶媒体が接続されているか否かを検知する接続検知手段とを含み、
前記制御プログラムは、前記コンピューターに、
前記画像形成装置を前記通常モードから前記省電力モードに移行するステップと、
前記移行するステップが前記画像形成装置を前記通常モードから前記省電力モードに移行させる際に、前記画像形成装置における予め定められた部位の状態を監視するステップと、
前記監視するステップによる監視結果に基づいて、前記部位の近傍に設けられた前記検出手段の検出感度を調整するステップとを実行させ、
前記画像形成装置は、ダイレクトプリント機能の設定が可能であり、
前記検出手段は、前記接続部の近傍に設けられ、前記接続部に近接する人体を検出可能な位置に配置され、
前記監視するステップは、前記接続検知手段の状態、および前記ダイレクトプリント機能の設定の有無を監視することを含み、
前記調整するステップは、前記着脱式記憶媒体が前記接続部に接続された状態であって、かつ前記ダイレクトプリント機能が設定されていない場合における、前記接続部の近傍に設けられた前記検出手段の検出感度を、前記着脱式記憶媒体が前記接続部に接続されていない状態である場合における当該検出感度よりも低下させることを含む、画像形成装置の制御プログラム。
【発明の詳細な説明】
【技術分野】
【０００１】
本発明は、省電力モードへの移行を制御する画像形成装置、その制御方法およびその制御プログラムに関する。
【背景技術】
【０００２】
従来より、消費電力削減のために、画像形成装置が一定時間使用されていない場合、当該装置の一部の電力供給を停止する省電力モードへ移行させる電力制御が行なわれている。省電力モード時においては、当該装置の操作パネルへのユーザーからの操作を受け付けると、省電力モードを解除し通常モードヘ移行する。これは、操作パネル内に配置されている検出回路により操作パネルのキーやタッチパネルを常時スキャンし、ユーザーからの操作を検出することで移行させている。しかし、近年では低消費電力モード時において、消費電力をさらに削減するため、上記検出部分についても電力供給を停止することも行なわれている。この場合、ユーザーは操作パネルによる操作では低消費電力モードを解除できないため、別に人体検知センサーを備え、当該人体検知センサーの検出結果に基づき省電力モードを解除する方式が提案されている。
【０００３】
たとえば、特開２０１０−１４７７２５号公報（特許文献１）には、人体検知センサーを備えた画像処理装置において、省電力モードを誤って解除してしまうことを防止するために、人体検知のセンス値の履歴や画像処理装置の操作の履歴との結果に基づいて人体検知範囲を設定する方式が開示されている。
【先行技術文献】
【特許文献】
【０００４】
【特許文献１】特開２０１０−１４７７２５号公報
【発明の概要】
【発明が解決しようとする課題】
【０００５】
しかしながら、特開２０１０−１４７７２５号公報に開示された技術によると、過去の履歴から人体検知範囲を調整するため、画像処理装置に接近するユーザーを検知することで省電力モードを誤って解除することを防止することはできるが、ユーザーの当該画像形成装置の使用態様に対応した検知方式ではないため、使用態様によらず省電力を解除してしまうことを防止することができなかった。たとえば、省電力モード時において、画像形成装置の排紙部に出力された原稿がある場合には、ユーザーは当該出力原稿を回収するために当該排紙部に接近するが、これは画像形成装置の使用を意図したものではないにも関わらず、ユーザーが人体検知範囲に入ることで省電力モードが解除されてしまう。
【０００６】
本発明は、上記の問題点を解決するためになされたものであって、ユーザーの使用態様に対応してユーザーを検知することが可能な画像形成装置、その制御方法およびその制御プログラムを提供することを目的とする。
【課題を解決するための手段】
【０００７】
本発明のある局面に従うと、画像形成装置であって、動作モードとして、通常モードと通常モードよりも消費電力の小さい省電力モードとを有する。画像形成装置は、画像形成装置を通常モードから省電力モードに移行するための移行部と、移行部が画像形成装置を通常モードから省電力モードに移行させる際に、画像形成装置における予め定められた部位の状態を監視するための状態監視部と、所定の検出領域に位置する人体を検出する少なくとも１つの検出部と、状態監視部による監視結果に基づいて、部位の近傍に設けられた少なくとも１つの検出部の検出感度を調整する調整部と、着脱式記憶媒体を接続するための接続部と、接続部に着脱式記憶媒体が接続されているか否かを検知する接続検知部とを備える。画像形成装置は、ダイレクトプリント機能の設定が可能である。少なくとも１つの検出部のうちの第１検出部は、接続部の近傍に設けられ、接続部に近接する人体を検出可能な位置に配置される。状態監視部は、接続検知部の状態、およびダイレクトプリント機能の設定の有無を監視する。調整部は、着脱式記憶媒体が接続部に接続された状態であって、かつダイレクトプリント機能が設定されていない場合における、接続部の近傍に設けられた第１検出部の検出感度を、着脱式記憶媒体が接続部に接続されていない状態である場合における当該検出感度よりも低下させる。
【０００８】
好ましくは、画像形成装置は、原稿を自動搬送するための自動原稿搬送部と、自動原稿搬送部で搬送された原稿が載置されているか否かを検知する搬送検知部とをさらに備える。少なくとも１つの検出部のうちの第２検出部は、自動原稿搬送部の近傍に設けられ、自動原稿搬送部に近接する人体を検出可能な位置に配置され、状態監視部は、搬送検知部の状態をさらに監視し、調整部は、自動原稿搬送部で搬送された原稿が載置された状態である場合における、自動原稿搬送部の近傍に設けられた第２検出部の検出感度を、自動原稿搬送部で搬送された原稿が載置されていない状態である場合における当該検出感度よりも低下させる。
【０００９】
好ましくは、画像形成装置は、原稿を排紙するための排紙部と、排紙部に原稿が載置されているか否かを検知する排紙検知部とをさらに備える。少なくとも１つの検出部のうちの第３検出部は、排紙部の近傍に設けられ、排紙部に近接する人体を検出可能な位置に配置され、状態監視部は、排紙検知部の状態をさらに監視し、調整部は、排紙部に原稿が載置された状態である場合における、排紙部の近傍に設けられた第３検出部の検出感度を、排紙部に原稿が載置されていない状態である場合における当該検出感度よりも低下させる。
【００１０】
好ましくは、画像形成装置は、原稿を載置するための原稿台と、原稿台に原稿が載置されているか否かを検知する原稿台検知部とをさらに備える。少なくとも１つの検出部のうちの第４検出部は、原稿台の近傍に設けられ、原稿台に近接する人体を検出可能な位置に配置され、状態監視部は、原稿台検知部の状態をさらに監視し、調整部は、原稿台に原稿が載置された状態である場合における、原稿台の近傍に設けられた第４検出部の検出感度を、原稿台に原稿が載置されていない状態である場合における当該検出感度よりも低下させる。
【００１１】
好ましくは、画像形成装置は、転写紙を給紙するための給紙部と、給紙部に転写紙があるか否かを検知する給紙部検知部とをさらに備える。少なくとも１つの検出部のうちの第５検出部は、給紙部の近傍に設けられ、給紙部に近接する人体を検出可能な位置に配置され、状態監視部は、給紙部検知部の状態をさらに監視し、調整部は、給紙部に転写紙が載置されていない状態である場合における、給紙部の近傍に設けられた第５検出部の検出感度を、給紙部に転写紙が載置されている状態である場合における当該検出感度よりも低下させる。
【００１２】
好ましくは、画像形成装置は、原稿に対して画像を形成する画像形成部と、画像形成部におけるジャムの発生を検知するジャム検知部とをさらに備える。少なくとも１つの検出部のうちの第６検出部は、画像形成部の近傍に設けられ、画像形成部に近接する人体を検出可能な位置に配置され、状態監視部は、ジャム検知部の状態をさらに監視し、調整部は、画像形成部にジャムが発生している状態である場合における、画像形成部の近傍に設けられた第６検出部の検出感度を、画像形成部にジャムが発生していない状態である場合における当該検出感度よりも低下させる。
【００１３】
好ましくは、画像形成装置は、ユーザーからの認証印刷情報を受信する通信部と、認証印刷をするユーザーを認証するための認証部とをさらに備える。少なくとも１つの検出部のうちの第７検出部は、認証部の近傍に設けられ、認証部に近接する人体を検出可能な位置に配置され、状態監視部は、通信部の状態をさらに監視し、調整部は、認証印刷情報を通信部が受信した状態である場合における、認証部の近傍に設けられた第７検出部の検出感度を、認証印刷情報を通信部が受信していない状態である場合における当該検出感度よりも上昇させる。
【００１６】
好ましくは、少なくとも１つの検出部は、当該少なくとも１つの検出部が有する検出電極と人体との間の静電容量の変化を読み取ることで人体を検出する。
【００１７】
本発明の他の局面に従うと、画像形成装置の制御方法であって、動作モードとして、通常モードと通常モードよりも消費電力の小さい省電力モードとを有する。画像形成装置は、所定の検出領域に位置する人体を検出する検出手段と、着脱式記憶媒体を接続するための接続部と、接続部に着脱式記憶媒体が接続されているか否かを検知する接続検知手段とを含む。画像形成装置の制御方法は、画像形成装置を通常モードから省電力モードに移行するステップと、移行するステップが画像形成装置を通常モードから省電力モードに移行させる際に、画像形成装置における予め定められた部位の状態を監視するステップと、監視するステップによる監視結果に基づいて、部位の近傍に設けられた検出手段の検出感度を調整するステップとを含む。画像形成装置は、ダイレクトプリント機能の設定が可能である。検出手段は、接続部の近傍に設けられ、接続部に近接する人体を検出可能な位置に配置される。監視するステップは、接続検知手段の状態、およびダイレクトプリント機能の設定の有無を監視することを含む。調整するステップは、着脱式記憶媒体が接続部に接続された状態であって、かつダイレクトプリント機能が設定されていない場合における、接続部の近傍に設けられた検出手段の検出感度を、着脱式記憶媒体が接続部に接続されていない状態である場合における当該検出感度よりも低下させることを含む。
【００１８】
本発明の他の局面に従うと、画像形成装置のコンピューターに実行させる制御プログラムであって、動作として、通常モードと通常モードよりも消費電力の小さい省電力モードとを有する。画像形成装置は、所定の検出領域に位置する人体を検出する検出手段と、着脱式記憶媒体を接続するための接続部と、接続部に着脱式記憶媒体が接続されているか否かを検知する接続検知手段とを含む。制御プログラムは、コンピューターに、画像形成装置を通常モードから省電力モードに移行するステップと、移行するステップが画像形成装置を通常モードから省電力モードに移行させる際に、画像形成装置における予め定められた部位の状態を監視するステップと、監視するステップによる監視結果に基づいて、部位の近傍に設けられた検出手段の検出感度を調整するステップとを実行させる。画像形成装置は、ダイレクトプリント機能の設定が可能である。検出手段は、接続部の近傍に設けられ、接続部に近接する人体を検出可能な位置に配置される。監視するステップは、接続検知手段の状態、およびダイレクトプリント機能の設定の有無を監視することを含む。調整するステップは、着脱式記憶媒体が接続部に接続された状態であって、かつダイレクトプリント機能が設定されていない場合における、接続部の近傍に設けられた検出手段の検出感度を、着脱式記憶媒体が接続部に接続されていない状態である場合における当該検出感度よりも低下させることを含む。
【発明の効果】
【００１９】
以上のように、本発明によれば、ユーザーの使用態様に対応してユーザーを検知することができる。
【図面の簡単な説明】
【００２０】
【図１】本発明の実施の形態に従う画像形成装置を示す概略正面断面図である。
【図２】本発明の実施の形態に従う画像形成装置のハードウェア構成を示すブロック図である。
【図３】本発明の実施の形態に従う画像形成装置における操作パネルの外観の一例を示した図である。
【図４】本発明の実施の形態に従う画像形成装置の機能構成を示すブロック図である。
【図５】本発明の実施の形態に従う画像形成装置に配置される人感センサーの概略説明図である。
【図６】本発明の実施の形態に従う画像形成装置における人感センサーのアンテナの配置場所の一例を示した図である。
【図７】本発明の実施の形態に従う画像形成装置が通常モードから省電力モードに移行する処理手順を示すフローチャートである。
【図８】本発明の実施の形態に従う人感センサーの調整処理手順のフローチャートである。
【図９】本発明の実施の形態に従う画像形成装置が省電力モードから通常モードに移行する処理手順を示すフローチャートである。
【発明を実施するための形態】
【００２１】
以下、図面を参照しつつ、本発明の実施の形態について説明する。以下の説明では、同一の部品には同一の符号を付してある。それらの名称および機能も同じである。したがって、それらについての同一部分については、その詳細な説明は繰り返さない。
【００２２】
＜全体構成＞
まず、本発明の実施の形態に係る画像形成装置の全体構成について説明する。画像形成装置は、たとえば、複数の原稿を順次搬送するための原稿搬送機能や自動で両面コピーを行うための再搬送機能などを有するディジタル複合機である。
【００２３】
図１は、本発明の実施の形態に従う画像形成装置１を示す概略正面断面図である。
図１を参照して、画像形成装置１は、画像処理部１２と、画像形成部１４と、給紙部１６と、定着装置１８と、排紙部１９とを含む。画像形成装置１の本体上部には、自動原稿搬送装置２０と画像読取部３０とが搭載されている。
【００２４】
自動原稿搬送装置２０は、自動搬送用原稿台２２と、原稿排紙台２３と、搬送ローラー２４とを含む。自動原稿搬送装置２０の自動搬送用原稿台２２には、複写面を上向きにして図示しない原稿が載置される。搬送ローラー２４は、原稿を順次搬送路に送り込み、当該原稿は原稿排紙台２３まで搬送される。
【００２５】
搬送路の最終端には、スキュー補正部であるレジストローラー２６が配置されている。レジストローラー２６は、画像読取部３０の走査タイミングと同期して回転することによって、原稿をスリットガラス２８上を通過させる。
【００２６】
画像読取部３０は、原稿を載置することが可能な原稿台３１と、第１走査ユニット３２と、第２走査ユニット３４と、結像レンズ３６と、ＣＣＤ等の撮像素子３８とを含む。第１走査ユニット３２は、スリットガラス２８を通して原稿に光を照射する光源とミラーとを含む。第２走査ユニット３４は、反射光を結像レンズ３６へとガイドする２枚のミラーを含む。
【００２７】
第１走査ユニット３２は、原稿が画像読取部３０の上部に配置されたスリットガラス２８上を通過する際に、原稿に光を照射することによって、原稿からの反射光を受光する。反射光は、第２走査ユニット３４および結像レンズ３６を経て、撮像素子３８上に入射する。すなわち、第１走査ユニット３２と第２走査ユニット３４と結像レンズ３６とは、原稿に印刷された画像を撮像素子３８上に結像することによって、原稿上に印刷された画像を読み取る。
【００２８】
画像処理部１２は、撮像素子３８からの電気信号に基づいて、画像データを生成する。すなわち、画像処理部１２は、撮像素子３８からの電気信号に基づいて画像処理する。より詳細には、画像処理部１２は、撮像素子３８からの電気信号（アナログ信号）に基づいて、画像を示す画像データ（デジタルデータ）を生成し、当該画像データを後述する記憶部１１０に一時的に格納する。
【００２９】
画像形成部１４は、像担持体１０と、帯電装置４２と、画像書込部４４と、現像装置４６と、転写装置４８とを含む。帯電装置４２は、像担持体１０の外周面に沿って配置される。像担持体１０が帯電装置４２に沿って回転することによって、帯電装置４２は像担持体１０の表面をほぼ一様に帯電させる。画像書込部４４は、像担持体１０の表面に静電潜像を形成する。現像装置４６は、帯電潜像を現像してトナー像を形成する。転写装置４８は、像担持体１０の表面上のトナー像を転写紙Ｐに転写する。クリーニング装置４９は、転写後の像担持体１０の表面を清掃する。
【００３０】
一方、給紙部１６は、給紙カセット５２（５２Ａ、５２Ｂ）を含む。給紙カセット５２は、複数の転写紙Ｐを収容する。給紙カセット５２内には、可動板５３が配置される。可動板５３は、板バネ等の付勢手段によって、常時その自由端が上方向に付勢される。このような構成によって、可動板５３上に配置される複数の転写紙Ｐのうち最も上に位置する転写紙Ｐが、ピックアップローラー５４に接触する。
【００３１】
ピックアップローラー５４は、ピックアップローラー５４に接触する転写紙Ｐを給紙カセット５２から排出する。さばきローラー５４Ａは、複数の転写紙Ｐを１枚ずつ分離する。複数の中間ローラー５６は、転写紙Ｐをガイドしつつ、転写紙Ｐを下レジストローラー５８まで搬送する。下レジストローラー５８は、給紙タイミングに合わせて、転写紙Ｐを転写装置４８に送り込む。
【００３２】
前述したように、転写装置４８は、像担持体１０上に形成されたトナー像を転写紙Ｐに転写する。トナー像が転写された転写紙Ｐは、定着装置１８に搬送される。定着装置１８は、転写紙Ｐにトナー像の定着処理を施す。その後、排紙ローラー７２が、転写紙Ｐを扶持することによって、転写紙Ｐを画像形成装置１の外部に排出する。すなわち、画像が印刷された転写紙Ｐが排紙台７４上に載置される。
【００３３】
また、操作パネル１８０が画像形成装置１の前面の筐体に配置されており、ユーザーからの画像形成装置１への各種の指示を受け付ける。
【００３４】
＜ハードウェア構成＞
次に、画像形成装置１のハードウェア構成について説明する。
【００３５】
図２は、本発明の実施の形態に従う画像形成装置１のハードウェア構成を示すブロック図である。
【００３６】
図２を参照して、画像形成装置１は、ＣＰＵ（Central Processing Unit）１００と、記憶部１１０と、通信部１２０と、認証部１２２と、タイマー１２６と、自動原稿搬送装置２０と、プリンター部１３０と、スキャナー部１４０と、人感センサー１６０と、センサー１７０と、操作パネル１８０と、ＵＳＢ（Universal Serial Bus）制御部１９０と、ＵＳＢコネクター部１９２と、電源制御部１９４と、電源部１９６とを含む。
【００３７】
ＣＰＵ１００は、後述する記憶部１１０の不揮発性メモリーに予め格納されているプログラムを読み出し、プログラムを順次実行することによって、画像形成装置１の各部を制御する。より詳細には、ＣＰＵ１００は、当該プログラムを実行することによって、後述する画像形成装置１の処理を実現する。
【００３８】
記憶部１１０は、ＲＯＭ（Read Only Memory）１１２や、ＲＡＭ（Random Access Memory）１１４や、ＨＤＤ（Hard Disk Drive）１１６などの不揮発性メモリーなどによって実現される。ＲＯＭ１１２は、ＣＰＵ１００で実行されるプログラムを予め格納し、ＲＡＭ１１４は、ＣＰＵ１００のプログラム部分の実行に必要なデータを一時的に記憶する。ＨＤＤ１１６は、比較的大容量のデータを不揮発的に格納することができ、たとえば、後述するスキャナー部１４０が画像を読み取ることによって取得した画像データなどを複数格納する。
【００３９】
通信部１２０は、ネットワークインターフェイスなどによって実現される。通信部１２０は、所定のプロトコルに従って、ネットワークを介してパーソナルコンピューターやサーバー装置との間で画像データなどを送受信する。たとえば、通信部１２０は、ユーザーからの認証印刷処理を受信する。
【００４０】
認証部１２２は、ユーザーの認証が必要な認証印刷のためにユーザーを認証する。認証部１２２は、たとえば、ユーザー情報が記憶されたＩＣカードの情報を読み取り、予め記憶部１１０に格納されたユーザー情報と比較をすることでユーザーの認証を行なう。
【００４１】
タイマー１２６は、時刻を計時する部位であり、計時した時刻に応じた信号をＣＰＵ１００に送出する。ＣＰＵ１００は、当該信号に基づき、たとえば一定時間間隔で予め定められた処理をすることができる。
【００４２】
自動原稿搬送装置２０は、上記で説明したように原稿を自動搬送用原稿台２２にセットして自動的に連続読み取りを行う。
【００４３】
プリンター部１３０は、画像データに基づいて転写紙Ｐに画像を印刷する。プリンター部１３０は、主な構成要素として、画像処理部１２と、画像形成部１４と、給紙部１６と、定着装置１８と、排紙部１９とを含む。
【００４４】
スキャナー部１４０は、原稿を光学的に読取って画像データを得て、データとして記憶部１１０に記憶する。スキャナー部１４０は、主な構成要素として画像読取部３０を含む。
【００４５】
人感センサー１６０は、画像形成装置１の所定の各箇所に配置されており、所定の検出領域に対する人体の有無を検出する。たとえば、人感センサー１６０は静電容量式センサーで構成されており、後述するアンテナ１６２と、センサー回路制御部１６４とを含む。具体的には、アンテナ１６２で検出された静電容量の変化をセンサー回路制御部１６４が検出信号に変換して、ＣＰＵ１００に出力する。
【００４６】
センサー１７０は、自動原稿搬送装置２０の原稿排紙台２３に載置されている原稿の有無を検出する搬送センサー１７２と、原稿台３１に載置されている原稿の有無を検出する原稿台センサー１７４と、排紙台７４での原稿の有無を検出する排紙センサー１７６と、給紙カセット５２での転写紙Ｐの有無を検出する給紙センサー１７８（１７８Ａ、１７８Ｂ）とを含む。
【００４７】
ＵＳＢ制御部１９０は、ＵＳＢコネクター部１９２に装着されたＵＳＢデバイスに対するアクセスを実行する。また、ＵＳＢ制御部１９０は、ＵＳＢコネクター部１９２に装着された装置を検知して、当該装置に関する情報をＣＰＵ１００に出力する。
【００４８】
ＣＰＵ１００は、ＵＳＢ制御部１９０から出力された当該装置に関する情報に基づいて、ＵＳＢコネクター部１９２に装着された装置を認識可能であるか否か判断する。そして、認識した場合には、当該装置に対するアクセスが可能となる。具体的には、たとえば、ＵＳＢメモリーが認識された場合には、操作パネル１８０から当該ＵＳＢメモリーにアクセス指示して、記憶部１１０に記憶されている、スキャナー部１４０によりスキャニング処理された画像データ等のデータ書込処理等が可能となる。
【００４９】
電源制御部１９４は、ＣＰＵ１００からの指示に応答して、電源部１９６からの電力を画像形成装置１のほぼ全ての部位に供給したり（通常モード）、画像形成装置１の一部の部位のみに供給したり（省電力モード）して、画像形成装置１の電力供給制御を行なう。たとえば、電源制御部１９４は省電力モード時にはディスプレイ駆動回路への電源部１９６からの電力供給を停止して消費電力を低減する。
【００５０】
電源部１９６は、交流電圧から直流電圧に変換する回路を有し、変換した直流電圧によって、画像形成装置１を動作させる。
【００５１】
操作パネル１８０は、ディスプレイ１８２と、ユーザーからの操作入力を受付ける操作キー１８３（操作キー群１８３Ａ、１８３Ｂ）と、ディスプレイの駆動回路１８４と、ディスプレイ１８２に表示する表示内容や操作キー１８３からの出力を総括的に制御するパネル制御部１８５とを含む。
【００５２】
図３は、本発明の実施の形態に従う画像形成装置１における操作パネル１８０の外観の一例を示した図である。
【００５３】
図３を参照して、ディスプレイ１８２は、各種モードの表示や設定等を実行するためにタッチパネル１８６が取付けられている。また、操作キー１８３は、たとえば、コピー／スキャン等の動作を開始させるためのスタートキー、入力された数値のクリアするためのクリアキー、コピー／スキャン動作の停止を指示するためのストップキー、設定されているモードおよびジョブを破棄するためのリセットキーなどを含む。
【００５４】
また、操作パネル１８０には、認証部１２２とＵＳＢコネクター部１９２が備え付けられている。たとえば、認証部１２２は非接触カードリーダーである。ユーザーがユーザー情報が格納されているカードを当該カードリーダーに読み込ませることで、認証部１２２はユーザーの認証処理を実行する。また、ユーザーは、ＵＳＢコネクター部１９２において、ＵＳＢメモリーの着脱を行なうことが可能である。
【００５５】
ただし、認証部１２２およびＵＳＢコネクター部１９２は、操作パネル１８０に備え付けられていなくてもよい。たとえば、操作パネル１８０の近傍にある画像形成装置１の筐体部分に設けられていてもよい。
【００５６】
＜機能構成＞
次に、本発明の実施の形態に従う画像形成装置１の機能構成について説明する。
【００５７】
図４は、本発明の実施の形態に従う画像形成装置１の機能構成を示すブロック図である。
【００５８】
図４を参照して、画像形成装置１は、移行部２１０と、状態監視部２２０と、調整部２３０とを含む。そして、上述したように、画像形成装置１は、通信部１２０と、タイマー１２６と、人感センサー１６０と、操作パネル１８０と、ＵＳＢ制御部１９０と、電源制御部１９４と、センサー１７０として構成される搬送センサー１７２と、原稿台センサー１７４と、排紙センサー１７６と、給紙センサー１７８とを含む。
【００５９】
移行部２１０と、状態監視部２２０と、調整部２３０とは、ＣＰＵ１００がＲＯＭ１１２やＲＡＭ１１４やＨＤＤ１１６に予め格納されていたプログラムを読み出して実行することにより実現されるものである。すなわち、移行部２１０と、状態監視部２２０と、調整部２３０とは、画像形成装置１のＣＰＵ１００と記憶部１１０とによって実現される機能である。
【００６０】
ただし、移行部２１０と、状態監視部２２０と、調整部２３０とは、専用のハードウェア回路によって実現されてもよい。
【００６１】
以下、画像形成装置１が有する機能ブロックの各々について詳述する。
移行部２１０は、所定の条件に基づいて、画像形成装置１を通常モードから省電力モードに移行させたり、逆に省電力モードから通常モードに移行させたりする。たとえば、通常モード時に、タイマー１２６によって計測された通常モード動作時間が所定の時間に達すると、画像形成装置１を通常モードから省電力モードに移行させる。たとえば、省電力モード時に人感センサー１６０がユーザーを検出した場合に画像形成装置１を省電力モードから通常モードに移行させる。
【００６２】
状態監視部２２０は、移行部２１０によって画像形成装置１が通常モードから省電力モードに移行される際に、画像形成装置１における所定の監視領域の状態を監視する。具体的には、たとえば、センサー１７０の状態を監視して、センサー１７０に対応する箇所の原稿の有無や転写紙Ｐの有無を判断する。また、認証部１２２の状態を監視して、認証印刷を受信済みかまたは受信中であるか否かを判断する。さらに、ＵＳＢ制御部１９０の状態を監視して、ＵＳＢメモリーが装着されているか否かを判断する。さらに、画像形成装置１に紙詰まり（ジャム）が発生しているか否かを判断する。
【００６３】
調整部２３０は、状態監視部２２０での所定の監視結果に基づいて、対応する人感センサー１６０の検出感度を調整する。たとえば、搬送センサー１７２の検知結果に基づいて原稿排紙台２３に原稿が載置されていると状態監視部２２０が判断した場合、調整部２３０は、原稿排紙台２３の近傍に設けられている人感センサー１６０の検出感度を通常モード時の検出感度よりも低下させる。これは、ユーザーが当該原稿を回収する際に人感センサー１６０がユーザーを検出して、移行部２１０が画像形成装置１を省電力モードから通常モードに移行させることを防ぐためである。従って、ユーザーの使用態様に応じたユーザーの検知が可能となる。
【００６４】
ここで、以下では説明のため、人感センサー１６０の検出感度が、通常モード時の検出感度よりも低い状態を「低感度状態」、通常モード時の検出感度と同等の状態を「標準状態」、通常モード時の検出感度よりも高い状態を「高感度状態」として記載する。
【００６５】
＜動作例＞
次に、本発明の実施の形態に従う画像形成装置１が省電力モードから通常モードへ移行する際に、人感センサー１６０を調整する際の動作例について説明する。
【００６６】
（人感センサーの概要）
まず、人感センサー１６０の概要について説明する。
【００６７】
図５は、本発明の実施の形態に従う画像形成装置１に配置される人感センサー１６０の概略説明図である。
【００６８】
図５を参照して、人感センサー１６０は静電容量式のセンサーであり、回路の一部に検出電極（アンテナ１６２）を設けて、アンテナ１６２に物体が接近することによって生じる電極の静電容量の変化を電気信号に変換して、人体の接近を検出する。概略的には、人感センサー１６０はその内部に検出容量Ｃｒおよび基準容量Ｃｏを有しており、検出容量Ｃｒと基準容量Ｃｏとを比較することにより容量の変化ΔＣを検出する。たとえば、アンテナ１６２にユーザーの操作指が接近すると操作指とアンテナ１６２との間の容量Ｃｐの容量が増加するため、容量（Ｃｐ＋Ｃｒ）と基準容量Ｃｏとを比較することでΔＣを検出する。検出したΔＣの容量変化によりセンサー内部の図示しない発振回路が発振し回路に流れる電流が増大するため、予め設定された電流設定値を超えると出力回路にて検出信号がＣＰＵ１００に出力される。ＣＰＵ１００は、当該検出信号に基づいて人体が検出されたか否かを判断する。
【００６９】
（人感センサーの配置場所）
次に、人感センサー１６０のアンテナ１６２の配置場所について説明する。
【００７０】
図６は、本発明の実施の形態に従う画像形成装置１における人感センサー１６０のアンテナ１６２の配置場所の一例を示した図である。なお、図６での人感センサー１６０のアンテナ１６２の配置場所および個数はこれに限定されるものではなく、ユーザーの使用用途によって様々な配置場所および数に設定できる。
【００７１】
図６を参照して、画像形成装置１には複数の人感センサー１６０Ａ〜１６０Ｊが設けられる。そして、複数の人感センサー１６０Ａ〜１６０Ｊにそれぞれ対応した複数のアンテナ１６２Ａ〜１６２Ｊが配置されている。たとえば、アンテナ１６２Ａは、原稿排紙台２３の近傍に設けられ、アンテナ１６２Ａに対応する人感センサー１６０Ａは、原稿排紙台２３に載置された原稿を回収しようとするユーザーの検出が可能である。同様に、アンテナ１６２Ｂは原稿台３１の近傍に設けられ、アンテナ１６２Ｂに対応する人感センサー１６０Ｂは、原稿台３１に載置された原稿を回収しようとするユーザーの検出が可能である。アンテナ１６２Ｃおよび１６２Ｄは排紙台７４の近傍に設けられ、アンテナ１６２Ｃおよび１６２Ｄに対応する人感センサー１６０Ｃおよび１６０Ｄは、排紙台７４に載置された原稿を回収しようとするユーザーの検出が可能である。アンテナ１６２Ｅおよびアンテナ１６２Ｆはそれぞれ給紙カセット５２Ａ、５２Ｂの近傍に設けられ、アンテナ１６２Ｅおよび１６２Ｆに対応する人感センサー１６０Ｅおよび１６０Ｆは、転写紙Ｐを給紙しようとするユーザーの検出が可能である。アンテナ１６２Ｇは画像形成装置１の本体部分の前面に配置され、アンテナ１６２Ｇに対応する人感センサー１６０Ｇは、ジャム発生時に紙詰まりを取り除こうとするユーザーの検出が可能である。アンテナ１６２Ｈ、アンテナ１６２Ｉおよびアンテナ１６２Ｊは、画像形成装置１の筐体部分の前面に搭載されている操作パネル１８０に配置され、アンテナ１６２Ｈ、１６２Ｉおよび１６２Ｊに対応する人感センサー１６０Ｈ、１６０Ｉおよび１６０Ｊは、操作パネル１８０を操作しようとするユーザーや、操作パネル１８０に備え付けられた認証部１２２においてユーザー認証をしようとするユーザーや、操作パネル１８０に備え付けられたＵＳＢコネクター部１９２においてＵＳＢメモリーを着脱しようとするユーザーの検出が可能である。
【００７２】
（省電力モードへの移行処理）
次に、画像形成装置１が通常モードから省電力モードに移行する処理手順について説明する。
【００７３】
図７は、本発明の実施の形態に従う画像形成装置１が通常モードから省電力モードに移行する処理手順を示すフローチャートである。ここでは、画像形成装置１は通常モードで動作している状態であるとする。また、通常モードにおいては、低消費電力化のため人感センサー１６０への電力供給は停止しているものとする。
【００７４】
まず、画像形成装置１の通常モード動作状態の時間を計測するために、移行部２１０の指示により、タイマー１２６は通常モード時間の計測を開始する（ステップＳ１０２）。
【００７５】
次に、操作パネル１８０は、ユーザーからの指示を受け付けたか否かを判断する（ステップＳ１０４）。操作パネル１８０は、ユーザーからの指示を受け付けたと判断すると（ステップＳ１０４においてＮＯである場合）、移行部２１０の指示により、タイマー１２６はステップＳ１０２に戻り通常モード動作時間の計測を最初からやり直す。一方、操作パネル１８０は、ユーザーからの指示を受け付けていないと判断すると（ステップＳ１０４においてＹＥＳである場合）、移行部２１０の指示により、タイマー１２６は通常モード動作時間の計測を続行する。
【００７６】
次に、移行部２１０は、タイマー１２６によって計測されている通常モード動作時間が予め設定された時間に達したか否かを判断する（ステップＳ１０６）。移行部２１０は、通常モード動作時間が予め設定された時間に達していないと判断すると（ステップＳ１０６においてＮＯである場合）、ステップＳ１０４からの処理を繰り返す。一方、移行部２１０は、通常モード時間が予め設定された時間に達したと判断すると（ステップＳ１０６においてＹＥＳである場合）、状態監視部２２０は画像形成装置１の予め設定されている監視領域を監視し、その状態を確認する（ステップＳ１０８）。
【００７７】
次に、調整部２３０は、状態監視部２２０の監視結果に基づいて、監視領域の近傍に設けられた人感センサー１６０を調整する（ステップＳ１１０）。具体的な人感センサー１６０の調整方式については後述する。
【００７８】
次に、移行部２１０は、画像形成装置１を通常モードから省電力モードに移行させて（ステップＳ１１２）、処理を終了する。具体的には、移行部２１０の指示により、電源制御部１９４は画像形成装置１の所定の部位への電力の供給を停止する。
【００７９】
（人感センサーの調整）
次に、ステップＳ１１０のおける人感センサー１６０の具体的な調整方式について説明する。
【００８０】
人感センサー１６０の検出感度は、全て標準状態に設定されているものとする。また、検出感度を「維持する」とは、先の検出感度の状態を維持することを意味する。つまり、先の検出感度の状態が標準状態であれば、標準状態を維持し、先の検出感度の状態が低感度状態であれば、低感度状態を維持し、先の検出感度の状態が高感度状態であれば、高感度状態を維持する。ここで、真に画像形成装置１を使用するためのユーザーを検出する必要があるため、低感度とは検出感度を標準状態よりも低下させることであって、完全に検出感度をゼロにはしないものとする。ただし、検出感度はユーザーによって任意に設定できるため、検出感度をゼロに設定してもよい。
【００８１】
図８は、本発明の実施の形態に従う人感センサー１６０の調整処理手順のフローチャートである。
【００８２】
まず、状態監視部２２０は、搬送センサー１７２からの検出信号に基づいて原稿排紙台２３に原稿が載置されているか否かを判断する（ステップＳ２０２）。状態監視部２２０が原稿排紙台２３に原稿が載置されていると判断すると（ステップＳ２０２においてＹＥＳの場合）、調整部２３０は原稿排紙台２３の近傍に設けられたアンテナ１６２Ａに対応する人感センサー１６０Ａの検出感度を低感度状態に設定する（ステップＳ２０４）。一方、状態監視部２２０が原稿排紙台２３に原稿が載置されていないと判断すると（ステップＳ２０２においてＮＯの場合）、調整部２３０は人感センサー１６０Ａの検出感度の状態を維持する（ステップＳ２０６）。
【００８３】
従って、原稿排紙台２３に原稿が載置されている場合は、省電力モード時に人感センサー１６０Ａの検出感度が低感度状態となるため、ユーザーが原稿排紙台２３から取り忘れなどの原稿を回収する際の意図しない省電力モードの解除を防止できる。
【００８４】
次に、状態監視部２２０は、原稿台センサー１７４からの検出信号に基づいて原稿台３１に原稿が載置されているか否かを判断する（ステップＳ２０８）。状態監視部２２０は、原稿台３１に原稿が載置されていると判断すると（ステップＳ２０８においてＹＥＳの場合）、調整部２３０は、原稿台３１の近傍に設けられたアンテナ１６２Ｂに対応する人感センサー１６０Ｂの検出感度を低感度状態に設定する（ステップＳ２１０）。一方、状態監視部２２０は、原稿台３１に原稿が載置されていないと判断すると（ステップＳ２０８においてＮＯの場合）、調整部２３０は、人感センサー１６０Ｂの検出感度の状態を維持する（ステップＳ２１２）。
【００８５】
従って、原稿台３１に原稿が載置されている場合は、省電力モード時に人感センサー１６０Ｂの検出感度が低感度状態となるため、ユーザーが原稿台３１から取り忘れなどの原稿を回収する際の意図しない省電力モードの解除を防止できる。
【００８６】
次に、状態監視部２２０は、排紙センサー１７６からの検出信号に基づいて排紙台７４に原稿が載置されているか否かを判断する（ステップＳ２１４）。状態監視部２２０は、排紙台７４に原稿が載置されていると判断すると（ステップＳ２１６においてＹＥＳの場合）、調整部２３０は、排紙台７４の近傍に設けられたアンテナ１６２Ｃおよび１６２Ｄに対応する人感センサー１６０Ｃおよび１６０Ｄの検出感度を低感度状態に設定する（ステップＳ２１６）。一方、状態監視部２２０は、排紙台７４に原稿が載置されていないと判断すると（ステップＳ２１４においてＮＯの場合）、調整部２３０は、人感センサー１６０Ｃおよび１６０Ｄの検出感度の状態を維持する。
【００８７】
従って、排紙台７４に原稿が載置されている場合は、省電力モード時に人感センサー１６０Ｃや１６０Ｄの検出感度が低感度状態となるため、ユーザーが排紙台７４から取り忘れなどの原稿を回収する際の意図しない省電力モードの解除を防止できる。
【００８８】
次に、状態監視部２２０は、給紙センサー１７８（１７８Ａ、１７８Ｂ）からの検出信号に基づいて給紙カセット５２（５２Ａ、５２Ｂ）に転写紙Ｐが載置されているか否かを判断する（ステップＳ２２０）。状態監視部２２０は、給紙カセット５２に転写紙Ｐが載置されていないと判断すると（ステップＳ２２０においてＹＥＳの場合）、調整部２３０は、給紙カセット５２Ａの近傍に設けられたアンテナ１６２Ｅに対応する１６０Ｅや、給紙カセット５２Ｂに配置されたアンテナ１６２Ｆに対応する人感センサー１６０Ｆの検出感度を低感度状態に設定する（ステップＳ２２２）。一方、状態監視部２２０は、給紙カセット５２に転写紙Ｐが載置されていると判断すると（ステップＳ２２０においてＮＯの場合）、調整部２３０は、人感センサー１６０Ｅや１６０Ｆの検出感度の状態を維持する（ステップＳ２２４）。
【００８９】
従って、給紙カセット５２に転写紙Ｐが載置されていない場合は、省電力モード時に人感センサー１６０Ｅや１６０Ｆの検出感度が低感度状態となるため、ユーザーが給紙カセット５２に転写紙Ｐを補充する際の意図しない省電力モードの解除を防止できる。
【００９０】
次に、状態監視部２２０は、画像形成装置１の画像形成部１４にジャムが発生しているか否かを判断する（ステップＳ２２６）。状態監視部２２０は、ジャムが発生していると判断すると（ステップＳ２２６においてＹＥＳの場合）、調整部２３０は、画像形成装置１の画像形成部１４の近傍であり、筐体の前面に配置されたアンテナ１６２Ｃに対応する人感センサー１６０Ｃや、アンテナ１６２Ｇに対応する人感センサー１６０Ｇの検出感度を低感度状態に設定する（ステップＳ２２８）。一方、状態監視部２２０は、ジャムが発生していないと判断すると（ステップＳ２２６においてＮＯの場合）、調整部２３０は、人感センサー１６０Ｃや１６０Ｇの検出感度の状態を維持する（ステップＳ２３０）。
【００９１】
従って、画像形成装置１の画像形成部１４にジャムが発生している場合は、省電力モード時に人感センサー１６０Ｃや１６０Ｇの検出感度が低感度状態となるため、ユーザーが画像形成装置１の筐体のカバーを開いて紙詰まりを取り除く際の意図しない省電力モードの解除を防止できる。
【００９２】
次に、状態監視部２２０は、ＵＳＢ制御部１９０からの出力結果に基づいてＵＳＢコネクター部１９２にＵＳＢメモリーが装着されているか否かを判断する（ステップＳ２３２）。状態監視部２２０は、ＵＳＢメモリーが装着されていないと判断すると（ステップＳ２３２においてＮＯの場合）、調整部２３０は、ＵＳＢコネクター部１９２の近傍に設けられたアンテナ１６２Ｈに対応する人感センサー１６０Ｈの検出感度の状態を維持する（ステップＳ２３４）。
【００９３】
一方、状態監視部２２０は、ＵＳＢメモリーが装着されていると判断すると（ステップＳ２３２においてＹＥＳの場合）、状態監視部２２０は、さらにダイレクトプリント設定が有効か否かを判断する（ステップＳ２３６）。なお、本発明の実施の形態に従う画像形成装置１は、プリンタードライバーを介さずに例えばカメラ等の機器に格納されている画像データを印刷することが可能ないわゆるダイレクトプリント機能を有しているものとする。当該ダイレクトプリント機能の設定（ダイレクトプリント設定）は、デフォルトにおいて有効であり、操作パネル１８０を介して当該設定を変更可能（有効から無効へ）であるものとする。たとえば、ダイレクトプリント設定が有効な場合には、ダイレクトプリント機能対応のＵＳＢメモリーがＵＳＢコネクター部１９２に装着され、かつ当該ＵＳＢメモリー内に印刷出力可能なファイル形式（ＰＤＦ、ＪＰＥＧなど）のファイルがある場合にはダイレクトプリントが可能である。状態監視部２２０がダイレクトプリント設定が有効であると判断すると（ステップＳ２３６においてＹＥＳの場合）、調整部２３０は人感センサー１６０Ｈの検出感度を高感度状態に設定する（ステップＳ２３８）。一方、状態監視部２２０がダイレクトプリント設定が有効ではないと判断すると（ステップＳ２３６においてＮＯの場合）、調整部２３０は人感センサー１６０Ｈの検出感度を低感度状態に設定する（ステップＳ２４０）。
【００９４】
従って、ダイレクトプリント設定が有効ではない状態の場合は、省電力モード時に人感センサー１６０Ｈの検出感度が低感度状態となるため、ユーザーがＵＳＢメモリーを取り外す際の意図しない省電力モードの解除を防止できる。一方、ダイレクトプリント設定が有効である状態の場合は、省電力モード時に人感センサー１６０Ｈの検出感度が高感度状態となるため、ユーザーがダイレクトプリントを実行するためにより早い省電力モードの解除が可能となる。
【００９５】
次に、状態監視部２２０は、通信部１２０において印刷するときに認証が必要な認証印刷処理実行するジョブを受信済み、または受信中の状態であるか否かを判断する（ステップＳ２４２）。状態監視部２２０が、通信部１２０の状態を当該状態であると判断すると（ステップＳ２４２においてＹＥＳの場合）、調整部２３０は認証部１２２の近傍に設けられたアンテナ１６２Ｈに対応する人感センサー１６０Ｈやアンテナ１６２Ｉに対応する人感センサー１６０Ｉの検出感度を高感度状態に設定して（ステップＳ２４４）、処理を終了する。一方、状態監視部２２０が、通信部１２０の状態を当該状態ではないと判断すると（ステップＳ２４２においてＮＯの場合）、調整部２３０は人感センサー１６０Ｈや人感センサー１６０Ｉの検出感度を維持して（ステップＳ２４６）、処理を終了する。
【００９６】
従って、通信部１２０が認証印刷処理を実行するジョブを受信済みまたは受信中の状態の場合は、省電力モード時に人感センサー１６０Ｉや１６０Ｈの検出感度が高感度状態となるため、ユーザーが認証印刷するためにより早い省電力モードの解除が可能となる。
【００９７】
なお、上記の原稿排紙台２３の近傍に設けられた人感センサー１６０Ａの検出感度を調整する第１の調整ステップ（ステップＳ２０２〜Ｓ２０６）と、原稿台３１の近傍に設けられた人感センサー１６０Ｂの検出感度を調整する第２の調整ステップ（ステップＳ２０８〜Ｓ２１２）と、排紙台７４の近傍に設けられた人感センサー１６０Ｃ、１６０Ｄの検出感度を調整する第３の調整ステップ（ステップＳ２１４〜Ｓ２１８）と、給紙カセット５２の近傍に設けられた人感センサー１６０Ｅ、１６０Ｆの検出感度を調整する第４の調整ステップ（ステップＳ２２０〜Ｓ２２４）と、画像形成装置１の画像形成部１４の近傍に設けられた人感センサー１６０Ｃ、１６０Ｇの検出感度を調整する第５の調整ステップ（ステップＳ２２６〜Ｓ２３０）と、ＵＳＢコネクター部１９２の近傍に設けられた人感センサー１６０Ｈの検出感度を調整する第６の調整ステップ（ステップＳ２３２〜Ｓ２４０）と、認証部１２２の近傍に設けられた人感センサー１６０Ｈ、１６０Ｉの検出感度を調整する第７の調整ステップ（ステップＳ２４２〜Ｓ２４６）との実行順序は図８に示す形態に限られない。これらの処理を並列的に実行してもよいし、たとえば、第１の調整ステップの実行に先んじて第７の調整ステップを実行してもよい。
【００９８】
（通常モードへの移行処理）
次に、画像形成装置１が省電力モードから通常モードへ移行する際の移行処理について説明する。
【００９９】
図９は、本発明の実施の形態に従う画像形成装置１が省電力モードから通常モードに移行する処理手順を示すフローチャートである。ここで、はじめに画像形成装置１は省電力モードで動作している状態であるとする。なお、省電力モード時では低消費電力化のため操作パネル１８０への電力供給は停止しており、人感センサー１６０にて人体の検出を行なうものとする。
【０１００】
移行部２１０は、人感センサー１６０の検出結果に基づいて省電力モードから通常モードへ移行するか否かを判断する（ステップＳ３０２）。移行部２１０が、省電力モードから通常モードへ移行しないと判断すると（ステップＳ３０２においてＮＯである場合）、ステップＳ３０２の状態を維持する。一方、移行部２１０が、省電力モードから通常モードへ移行すると判断すると（ステップＳ３０２においてＹＥＳである場合）、調整部２３０は、画像形成装置１に配置されている全ての人感センサー１６０の検出感度を標準状態に設定する（ステップＳ３０４）。ただし、人感センサー１６０の検出感度の設定は、ユーザーが用途に応じて任意に定めることができるため、各々の人感センサー１６０に応じて設定してもよい。
【０１０１】
次に、移行部２１０は、画像形成装置１を省電力モードから通常モードに移行させる（ステップＳ３０６）。具体的には、移行部２１０の指示により、電源制御部１９４は画像形成装置１のほぼ全ての部位に電力を供給する。
【０１０２】
＜その他の実施の形態＞
上記では、画像形成装置１の低消費電力化のため、通常モード時は人感センサー１６０へ電力が供給されておらず、逆に省電力モード時は操作パネル１８０へ電力が供給されていない例について説明した。しかし、通常モード時、省電力モード時のいずれの状態であっても、操作パネル１８０および人感センサー１６０に電力を供給してもよい。この場合、省電力モードから通常モードへの移行は、操作パネル１８０へのユーザーからの指示および人感センサー１６０での人体の検出によってなされる。また、通常モード時での動作時間計測の解除も操作パネル１８０へのユーザーからの指示および人感センサー１６０での人体の検出によってなされる。
【０１０３】
なお、コンピューターを機能させて、上述のフローで説明したような制御を実行させるプログラムを提供することもできる。このようなプログラムは、コンピューターに付属するフレキシブルディスク、ＣＤ−ＲＯＭ（Compact Disk-Read Only Memory）、ＲＯＭ、ＲＡＭおよびメモリーカードなどの一時的でないコンピューター読取り可能な記録媒体にて記録させて、プログラム製品として提供することもできる。あるいは、コンピューターに内蔵するハードディスクなどの記録媒体にて記録させて、プログラムを提供することもできる。また、ネットワークを介したダウンロードによって、プログラムを提供することもできる。
【０１０４】
なお、プログラムは、コンピューターのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【０１０５】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【０１０６】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１０７】
１  画像形成装置、１０  像担持体、１２  画像処理部、１４  画像形成部、１６  給紙部、１８  定着装置、１９  排紙部、２０  自動原稿搬送装置、２２  自動搬送用原稿台、２３  原稿排紙台、２４  搬送ローラー、２６  レジストローラー、２８  スリットガラス、３０  画像読取部、３２  第１走査ユニット、３４  第２走査ユニット、３６  結像レンズ、３８  撮像素子、４２  帯電装置、４４  画像書込部、４６  現像装置、４８  転写装置、４９  クリーニング装置、５２  給紙カセット、５３  可動板、５４  ピックアップローラー、５４Ａ  さばきローラー、５６  中間ローラー、５８  下レジストローラー、７２  排紙ローラー、７４  排紙台、１００  ＣＰＵ、１１０  記憶部、１１２  ＲＯＭ、１１４  ＲＡＭ、１２０  通信部、１２２  認証部、１２６  タイマー、１３０  プリンター部、１４０  スキャナー部、１６０  人感センサー、１６２  アンテナ、１６４  センサー回路制御部、１７０  センサー、１７２  搬送センサー、１７４  原稿台センサー、１７６  排紙センサー、１７８  給紙センサー、１８０  操作パネル、１８２  ディスプレイ、１８３  操作キー、１８４  ディスプレイ駆動回路、１８５  パネル制御部、１８６  タッチパネル、１９０  ＵＳＢ制御部、１９２  ＵＳＢコネクター部、１９４  電源制御部、１９６  電源部、２１０  移行部、２２０  状態監視部、２３０  調整部。
【図１】
0005895373.tif 000002
【図２】
0005895373.tif 000003
【図３】
0005895373.tif 000004
【図４】
0005895373.tif 000005
【図５】
0005895373.tif 000006
【図６】
0005895373.tif 000007
【図７】
0005895373.tif 000008
【図８】
0005895373.tif 000009
【図９】
0005895373.tif 000010